(57)【要約】【課題】簡単な操作で所望する量の替芯の取り出すことができる替芯ケースを提供する。【解決手段】上面に開口１３ａが形成された箱状の本体１０と、本体１０の上端にスライド自在に取り付けられた蓋体３０とを備えた替芯ケース１において、蓋体３０は、断面が略コの字状に形成され、その両端部にそれぞれ、それぞれ、ガイド溝３１ａ、３１ｂが形成されていると共に、ガイド溝３１ａ、３１ｂの下側に凸状の突起部３２ａ、３２ｂが設けられている。本体１０の正面および背面には、それぞれ、蓋体３０のガイド溝３１ａ、３１ｂを摺動自在に支持するガイドレール１１ａ、１１ｂが形成されていると共に、蓋体３０の突起部３２ａ、３２ｂを摺動自在に嵌合する矩形凹状の溝部１２ａ、１２ｂが形成され、さらに、溝部１２ａ、１２ｂには、凸状の位置決部が形成されている。【選択図】図１５
2010030136.tif 000002
【特許請求の範囲】
【請求項１】
上面に開口が形成された替芯収納部を有する箱状の本体と、該本体の上端にスライド自在に取り付けられ該開口を開閉する蓋体とを備えた替芯ケースにおいて、
前記蓋体は、前記開口を覆う板状の上面部と、該上面部の一端から折り曲がって下方向に延びる正面部と、該上面部の他端から折り曲がって下方向に延びる背面部とを有する断面が略コの字状になされ、前記正面部および前記背面部には、それぞれ、該蓋体の長手方向と平行なガイド溝が形成されていると共に、該ガイド溝の下方に凸状の突起部が設けられ、
前記本体の正面および背面には、それぞれ、前記蓋体のガイド溝を摺動自在に支持するガイドレールが形成されていると共に、該ガイドレールに沿って、該蓋体の突起部を摺動自在に嵌合する矩形凹状の溝部が形成され、
前記溝部には、凸状の位置決部が形成され、
前記本体に対して、一方向に前記蓋体を移動させることにより、前記開口を広さの異なる２つの開口状態になすことを特徴とする替芯ケース。
【請求項２】
前記蓋体は、前記突起部が前記本体の溝部の一端に当接した際に、前記開口を閉鎖する位置に位置決めされ、該突起部が該本体の溝部の位置決部に当接した際に、該開口を第１の広さ開放した位置に位置決めされ、該突起部が該本体の溝部の他端に当接した際に、該開口を前記第１の広さより大きい第２の広さ開放した位置に位置決めされることを特徴とする請求項１に記載の替芯ケース。
【請求項３】
前記蓋体の正面部および背面部のうちのいずれかに、前記ガイド溝と平行方向に、一端が閉塞された第２ガイド溝が形成され、
前記本体には、前記第２ガイド溝に摺動自在に嵌合される凸状のガイド部が設けられていることを特徴とする請求項１又は請求項２に記載の替芯ケース。
【請求項４】
前記蓋体は、前記正面部と前記背面部との間の長さ寸法が、上端から下端に向かうにしたがい短くなるようになされていることを特徴とする請求項１乃至請求項３のいずれか一項に記載の替芯ケース。
【請求項５】
前記本体は、前記正面の高さ寸法が、前記背面の高さ寸法よりも大きくなされていると共に、前記蓋体をスライドさせて前記開口を開状態にした際に、前記替芯収納部に収納された替芯の上端側が、該正面および該背面のいずれからも露出するようになされていることを特徴とする請求項１乃至請求項４のいずれか一項に記載の替芯ケース。
【請求項６】
前記本体の下面には、前記替芯収納部に連通する底部開口が形成され、
前記底部開口を塞ぐ尾栓を有すること特徴とする請求項１乃至請求項５のいずれか一項に記載の替芯ケース。
【発明の詳細な説明】
【技術分野】
【０００１】
本発明は、シャープペンシルの替芯ケースに関する。
【背景技術】
【０００２】
特許文献１に、従来から知られているスライド式の蓋体を有するシャープペンシルの替芯ケースの構成が開示されている。
ここで、図２２を参照しながら、特許文献１に記載された替芯ケース１００について説明する。
図示するように、替芯ケース１００は、上端面に替芯を取り出すための替芯取出口１１３を設けたケース本体１１０と、ケース本体１１０に対してスライド自在な板状の蓋体１２０とを備えている。
【０００３】
具体的には、ケース本体１１０は、上下両端を開口した箱形チューブ状に形成され、上端部の側面に切欠１１１が設けられている。また、ケース本体１１０の下端開口が底板１３０で閉塞されている。
また、ケース本体１１０の上端部の側面の切欠１１１に、板状の蓋体１２０が挿入される。また、板状の蓋体１２０の前面（又は後面）には、溝１２８が設けられている。また、ケース本体１１０の上端側には、蓋体１２０の溝１２８に嵌入して蓋体１２０をスライド自在に案内するレール１１２が突設されている。
【０００４】
そして、ユーザは、替芯ケース１００からシャープペンシルの替芯を取り出す場合、蓋体１２０をスライドさせて替芯取出口１１３を開き、替芯ケース１００を傾けて、替芯取出口１１３から手のひら等に替芯を取り出している。
【０００５】
また、特許文献２には、蓋体をスライドさせる方向に応じて、取り出す芯の量を調節することができる替芯ケースの構成が開示されている。
ここで、図２３を参照しながら、特許文献２に記載されたシャープペンシルの替芯ケースについて説明する。
図示するように、替芯ケース２００は、上面に２つの替芯取出口２１４、２１５が形成された替芯収容ケース２１０（ケース本体２１０ａおよびノズル２１０ｂにより形成されている）と、替芯収納ケース２１０の上端部にスライド自在に取り付けられる蓋体２２０とを備えている。
なお、替芯取出口２１４は、その開口面積が、替芯取出口２１５の開口面積よりも大きくなされている。
【０００６】
また、替芯収容ケース２１０の上端の左右両側には、それぞれ、替芯取出口２１４、２１５の外側の一部を囲って、上方に突出するノズル片２１９ａ、２１９ｂが設けられている。また、替芯収容ケース２１０の上端には、蓋体２２０の底面に形成されたガイドピン２２１を摺動自在に挟持するための、一対のガイド片２１１ａ、２１１ｂが設けられている。
さらに、前記ガイド片２１１ａ、２１１ｂの内面側には、替芯収容ケース２１０に対してスライドする蓋体３００にクリック感を付与するディテント凹部２１２が設けられている。
【０００７】
そして、替芯ケース２００から多量の替芯を取り出す場合には、ユーザは、蓋体３００を右方向（図示するＲ方向）にスライドさせて替芯取出口２１４（断面積の大きい開口）を開き、替芯ケース２００を傾けて、替芯取出口から手のひら等に替芯を取り出す。
また、替芯ケース２００から少量の替芯を取り出す場合には、ユーザは、蓋体３００を左方向（図示するＬ方向）にスライドさせて替芯取出口２１４（断面積の大きい開口）を開き、替芯ケース２００を傾けて、替芯取出口から手のひら等に芯を取り出す。
【０００８】
【特許文献１】特開平９−７１０８６号公報
【特許文献２】特開２００７−１９６４５３号公報
【発明の開示】
【発明が解決しようとする課題】
【０００９】
しかしながら、上述した従来技術の替芯ケースは、以下に示す技術的課題を有している。
具体的には、特許文献１の替芯ケースは、蓋体を位置決めするための構成が設けられていないため、替芯取出口の開口面積を調節するのが困難であるという技術的課題を有している。その結果、特許文献１の替芯ケースでは、所望する量の芯の取り出すことが難しかった。
なお、特許文献１の替芯ケースは、板状の蓋体の上側面部を操作部分としているが、操作部分の幅が狭いため、蓋体の開閉操作が行いにくかった。
【００１０】
また、特許文献２の替芯ケースは、蓋体が替芯取出口を閉じた位置（閉状態）から左右両方向に自在にスライドできるように構成されている。そのため、特許文献２の替芯ケースでは、替芯取出口を閉じる際、蓋体が閉状態の位置を超えてしまうことがあった。この場合、蓋体の位置を閉状態に直すための余分な操作が生じる。すなわち、特許文献２の替芯ケースは、蓋体の操作性が悪いという技術的課題を有している。
また、特許文献２の替芯ケースでは、替芯を取り出す際に、蓋体をスライドさせる方向を確認（例えば、替芯ケース上に記載された小さい文字や記号を確認する）する必要があり面倒であった。また、特許文献２の替芯ケースは、蓋体をスライドさせる方向を間違ったとしても、それに気付きにくいため、予期しない量の替芯を誤って取り出してしまうことがある。
さらに、特許文献２の替芯ケースは、替芯収容ケース（ケース本体およびノズルにより形成されている）の構成が複雑であるため、生産コストの増加を招くという技術的課題を有している。
【００１１】
本発明は、上記事情に鑑みてなされたものであり、簡単な操作により、所望する量の芯の取り出すことができる替芯ケースを提供することを目的とするものである。
【課題を解決するための手段】
【００１２】
上記課題を解決するためになされた本発明は、上面に開口が形成された替芯収納部を有する箱状の本体と、該本体の上端にスライド自在に取り付けられ該開口を開閉する蓋体とを備えた替芯ケースに適用される。
そして、前記蓋体は、前記開口を覆う板状の上面部と、該上面部の一端から折り曲がって下方向に延びる正面部と、該上面部の他端から折り曲がって下方向に延びる背面部とを有する断面が略コの字状になされ、前記正面部および前記背面部には、それぞれ、該蓋体の長手方向と平行なガイド溝が形成されていると共に、該ガイド溝の下方に凸状の突起部が設けられ、前記本体の正面および背面には、それぞれ、前記蓋体のガイド溝を摺動自在に支持するガイドレールが形成されていると共に、該ガイドレールに沿って、該蓋体の突起部を摺動自在に嵌合する矩形凹状の溝部が形成され、前記溝部には、凸状の位置決部が形成され、前記本体に対して、一方向に前記蓋体を移動させることにより、前記開口を広さの異なる２つの開口状態になすことを特徴とする。
【００１３】
このように本発明は、蓋体の正面部および背面部に、それぞれ、ガイド溝を設けると共に、該ガイド溝の下側に凸状の突起部が設けられている。また、本発明では、本体の正面および背面に形成されたガイドレールで前記蓋体のガイド溝を摺動自在に支持すると共に、前記矩形凹状の溝部に蓋体の突起部を摺動自在に嵌合することにより、蓋体が本体にスライド自在に取り付けられる。また、本発明では、蓋体の突起部を摺動自在に嵌合する溝部に凸状の位置決部を設けている。
上記の構成により、蓋体を本体に対してスライドさせると、蓋体の突起部と、本体の溝部の凸状の位置決部とが当接した際に、蓋体のスライドを停止させることができる。すなわち、蓋体の突起部と、本体の溝部の凸状の位置決部とにより、蓋体の位置を位置決めすることができる。さらに、本体に対して、一方向に蓋体を移動させることにより、開口を広さの異なる２つの開口状態になすことができる。
そのため、本発明によれば、ユーザは、所望する替芯を取り出すのに適した広さを開口する位置に蓋体を位置決めすることができる。
【００１４】
また、前記蓋体は、前記突起部が前記本体の溝部の一端に当接した際に、前記開口を閉鎖する位置に位置決めされ、該突起部が該本体の溝部の位置決部に当接した際に、該開口を第１の広さ開放した位置に位置決めされ、該突起部が該本体の溝部の他端に当接した際に、該開口を前記第１の広さより大きい第２の広さ開放した位置に位置決めされることが望ましい。
上記の構成により、前記蓋体をスライドさせることにより、該蓋体を、「開口を閉鎖する位置」、「開口を第１の広さ開放した位置」、および「開口を第２の広さ開放した位置」のうちのいずれかに位置決めすることができる。
【００１５】
また、前記蓋体の正面部および背面部のうちのいずれかに、前記ガイド溝と平行方向に、一端が閉塞された第２ガイド溝が形成され、前記本体には、前記第２ガイド溝に摺動自在に嵌合される凸状のガイド部が設けられていることが望ましい。
このように、蓋体の正面部および背面部に形成されたガイド溝に加え、さらに第２ガイド溝を設けると共に、本体に第２ガイド溝に摺動自在に嵌合される凸状のガイド部を設けたのは、本体の上端面をスライドする蓋体が本体から外れる可能性を低減させるためである。
【００１６】
また、前記蓋体は、前記正面部と前記背面部との間の長さ寸法が、上端から下端に向かうにしたがい短くなるようになされていることが望ましい。
この構成により、蓋体が本体を常に締め付けることになるため、蓋体と本体のガタつきがなくなり、蓋体が本体に対して安定する。また、蓋体が本体から外れる可能性が低減される。
また、蓋体が本体を締め付けることにより、蓋体と本体との間に適度な摩擦が発生する。これにより、ユーザは良質なスライド感で蓋体をスライドさせることができる。
【００１７】
また、前記本体は、前記正面の高さ寸法が、前記背面の高さ寸法よりも大きくなされていると共に、前記蓋体をスライドさせて前記開口を開状態にした際に、前記替芯収納部に収納された替芯の上端側が、該正面および該背面のいずれからも露出するようになされていることが望ましい。
このように、本発明によれば、本体は、蓋体をスライドさせて替芯取出口を開状態にした際に収納部に収納された替芯が、正面部および背面部のいずれからも露出するように形成されている。この構成により、ユーザは、替芯ケースを傾けることなく、替芯を指等でつまんで取り出すことができる。
したがって、本発明によれば、例えば、多くの替芯を取り出す際に、替芯ケースを傾ける必要がないため（蓋体を全開状態にして、露出した替芯を指でつまむことにより、替芯を取り出すことができるため）、替芯ケースを傾けて不必要に多くの替芯を取り出してしまったり、替芯を溢したりすることがない。
また、本体の正面部の高さ寸法を、背面部の高さ寸法よりも長くすることにより、本体の正面に多くの商品ＰＲ用のデザインを施せるようにした。すなわち、替芯ケースが店舗等に陳列された際に、顧客の目につきやすい本体の正面を大きくして、正面にたくさんの商品ＰＲ用のデザインを施せるようにした。
【００１８】
また、前記本体の下面には、前記替芯収納部に連通する底部開口が形成され、前記底部開口を塞ぐ尾栓とを有することが望ましい。
このように、本発明によれば、スライド式の蓋体により、開口面積を調節できる替芯ケースを、本体、蓋体、および尾栓の３つの部品により実現している。すなわち、本発明によれば、簡単な操作により開口面積を調節できる替芯ケースを低コストで実現できる。
【発明の効果】
【００１９】
本発明によれば、簡単な操作により、所望する量の芯の取り出すことができるシャープペンシルの替芯を収納する替芯ケースを提供することができる。
【発明を実施するための最良の形態】
【００２０】
以下、本発明の実施形態を図面に基づいて説明する。
先ず、本実施形態のシャープペンシル用の替芯ケースの概略構成について、図１に基づいて説明する。
図１は、本発明の実施形態のシャープペンシル用の替芯ケースの斜視図である。また、図１（ａ）は、蓋体を閉じた状態の替芯ケースの斜視図を示し、図１（ｂ）は、替芯ケースの部品を展開した斜視図を示している。
【００２１】
図示するように、替芯ケース１は、上下両端にそれぞれ開口１３ａ、１３ｂが形成された箱状の本体１０と、本体１０の上端にスライド自在に取り付けられ、該上端の開口（替芯取出口）１３ａを開閉する蓋体３０と、本体部１０の下面の開口１３ｂを塞ぐ尾栓５０とを備えている。
なお、本体部１０は、例えば、ポリカーボネイト（Polycarbonate）により形成される。また、蓋体１０および尾栓５０は、例えば、ポリアセタール（Polyacetal）により形成される。
【００２２】
そして、本実施形態の替芯ケース１は、図１（ａ）に示す状態（蓋体３０により替芯取出口１３ａが塞がれた状態）から、所定方向（図示するＸ１方向）に蓋体３０をスライドさせることにより、替芯取出口１３ａを２段階の広さ（開口面積）に設定して開口できるようになされている。
そのため、本実施形態によれば、ユーザは、取り出したい替芯の量に応じて、蓋体３０を所定方向（図示するＸ１方向）にスライドさせ、替芯取出口１３ａの開口面積を調節することより、簡単に所望する量の芯の取り出すことができる。
【００２３】
次に、本実施形態の替芯ケース１の構成する各部品について詳細に説明する。
先ず、本体１０について、図２乃至図８に基づいて説明する。
図２は、本発明の実施形態の替芯ケースの本体の側面図である。また、図３は、本発明の実施形態の替芯ケースの本体の正面図である。また、図４は、本発明の実施形態の本体の替芯ケースの背面図である。また、図５は、本発明の実施形態の替芯ケースの本体の底面図である。
また、図６は、図３に示す本体のＢ−Ｂ断面図である。また、図７は、図３に示す本体のＣ−Ｃ断面図である。また、図８は、図２に示す本体のＡ−Ａ断面図である。
【００２４】
図示するように、本体１０は、縦長の箱状に形成され、内部に中空状の替芯収納部１４（図６〜図８参照）を備えている。また、本体１０は、その上端および下端にそれぞれ収納部１４に連通する開口１３ａ、１３ｂが形成されている。
また、本体１０の上端の左右両側には、それぞれ、上方に向けて、上面が円弧状の舌片部１０ｃ、１０ｄが突出している。
なお、舌片部１０ｃ、１０ｄの上面を円弧状に形成したのは、ユーザが蓋体３０を開閉する際に、本体１０の上端に指が当たることがあることを考慮したためである（すなわち、上面を円弧状に形成することにより、ユーザが指を当てても痛くならないようにしている）。
そして、本体１０の上端は、後述する蓋体３０により外部から覆われる。また、本体部１０の下端の開口１３ｂは、尾栓５０が挿入されることにより塞がれる。
【００２５】
また、図３および図６に示すように、本体１０の正面１０ａの上端側には、正面１０ａの短手方向（図３に示すＸ方向）と平行する方向に延びる凸状のガイドレール（第１ガイドレール）１１ａが形成されている。また、ガイドレール１１ａの下側には、ガイドレール１１ａに沿って矩形凹状のガイド溝１２ａが形成されている。
また、図３および図８に示すように、本体１０の正面１０ａに形成されたガイド溝１２ａには、蓋体３０を位置決めするための２つの凸状の突起部（位置決部）１５ａ、１５ｂが設けられている。
【００２６】
また、図４および図６に示すように、本体１０の背面１０ｂの上端側には、背面１０ｂの短手方向（図４に示すＸ方向）と平行する方向に延びる凸状のガイドレール（第２ガイドレール）１１ｂが形成されている。また、ガイドレール１１ｂの下側には、ガイドレール１１ｂに沿って矩形凹状のガイド溝１２ｂが形成されている。
また、図４および図８に示すように、本体部１０の背面部１０ｂに形成されたガイド溝１２ｂには、蓋体３０を位置決めするための凸状の突起部（位置決部）１５ｃが設けられている。
さらに、図４に示すように、本体部１０の背面１０ｂのガイドレール（第２ガイドレール）１１ｂの上方にある舌片部１０ｄには、ガイドレール１１ｂと平行する矩形凸状のガイド部１６（第３ガイドレール）が形成されている。
【００２７】
つぎに、蓋体１０の構成について、図９乃至図１５に基づいて説明する。
図９は、本発明の実施形態の替芯ケースの蓋体の上面図である。また、図１０は、本発明の実施形態の替芯ケースの蓋体の正面図である。また、図１１は、本発明の実施形態の替芯ケースの蓋体の底面図である。また、図１２は、本発明の実施形態の替芯ケースの蓋体の側面図である。
また、図１３は、図１０に示す蓋体のＤ-Ｄ断面図である。また、図１４は、図１０に示す蓋体のＥ-Ｅ断面図である。図１５は、蓋体のガイド溝と、本体のガイドレールとの関係を示した模式図である。
【００２８】
図示するように、蓋体３０は、台形の板状の上面部３０ｅと、上面部３０ｅの一端（上底側）から折り曲がって下方向に延びる正面部３０ａと、上面部３０ｅの他端（下底側）から折り曲がって下方向に延びる背面部３０ｂとを有し、その断面が略コの字状になされている。
また、図１２に示すように、蓋体３０は、正面部３０ａと背面部３０ｂとの間の長さ寸法が上端側から下端側に向かうにしたがい短くなるようになされている（ｔ１＞ｔ２）。すなわち、蓋体３０は、下端が絞られた形状になされている。
このように構成したのは、蓋体３０を本体１０に取付けた際に、蓋体３０が本体１０に対して安定し、本体１０から外れる可能性が軽減させるためである。
また、図９および図１０に示すように、上面部３０ｅには、滑り止め用の凸状の滑り止め部４０が設けられている。
【００２９】
また、図１３に示すように、蓋体３０の正面部３０ａ（正面部３０ａの裏面）の下端側には、正面部３０ａの長手方向に、正面部３０ａの右側端部から左側端部まで延びる凹状のガイド溝３１ａが形成されている。また、蓋体３０の背面部３０ｂの下端側（背面部３０ｂの裏面）には、背面部３０ｂの長手方向に、背面部３０ｂの右側端部から左側端部まで延びる凹状のガイド溝３１ｂが形成されている。
また、図１１および図１３に示すように、ガイド溝３１ａの下端に凸状の突起部３２ａが設けられている。また、ガイド溝３１ｂの下端には、凸状の突起部３２ｂ、３２ｃが設けられている。
【００３０】
さらに、図１２および図１４に示すように、蓋体３０の背面部３０ｂ（背面部３０ｂの裏面）の略中央部には、ガイド溝３１ｂと平行する方向に、背面部３０ｂの一端部（図１４では右端部）から背面部３０ｂの所定位置（一端部（右側端部）と他端部（左側端部）との間の位置）の閉端部３３ａまで延びるガイド溝３３が形成されている。
なお、上記の閉端部３３ａの位置は、特に限定されるものではない。一端部（右側端部）からのガイド溝３３が背面部３０ｂの他端部（左側端部）まで貫通していなければよい。例えば、図１４では、右側端部からの長さ寸法がｔ３（ｍｍ）のガイド溝３３を示している（ｔ３＜Ｗ（Ｗは背面部３０の横方向（Ｘ方向）の長さ寸法）。
【００３１】
そして、図１５に示すように、蓋体３０のガイド溝３１ａ、３１ｂには、それぞれ、本体１０のガイドレール１１ａ、１１ｂが摺動自在に嵌合され、蓋体３０の突起部３２ａが本体１０のガイド溝１２ａに摺動自在に嵌合されると共に、突起部３２ｂ、３２ｃが本体１０のガイド溝１２ｂに摺動自在に嵌合されることにより、蓋体３０が本体１０にスライド自在に支持される。
さらに、本実施形態では、蓋体３０のガイド溝３３（図１０、図１２参照）に、本体１０のガイド部１６（図４参照）を摺動自在に嵌合させる。このように構成することにより、蓋体３０をスライドさせている際に、本体１０から蓋体３０が外れることを防いでいる。
【００３２】
つぎに、尾栓５０の構成について、図１６乃至図１９に基づいて説明する。
図１６は、本発明の実施形態の替芯ケースの尾栓５０の正面図である。また、図１７は、本発明の実施形態の替芯ケースの尾栓５０の底面図である。また、図１８は、図１７の示す尾栓のＦ−Ｆ断面図である。また、図１９は、図１７に示す尾栓のＧ−Ｇ断面図である。
【００３３】
図示するように、尾栓５０は、台座部５０ａと、台座部５０ａの上面に形成された矩形柱状の凸部５０ｂとを備えている。また、凸部５０ｂは、上端に替芯を載置するための平坦面５０ｂ１が形成されていると共に、本体１０の底面に形成された開口１３ｂ（図５参照）に嵌合する形状になされている。
そして、本体部１０の底面に形成された開口１３ｂに、尾栓５０の凸部５０ｂを挿入して嵌合させることにより、本体部１０の底面に形成された開口１３ｂは、尾栓５０により塞がれる。
【００３４】
続いて、本実施形態の替芯ケース１０の蓋体３０の開閉動作について、図２０〜図２１を用いて説明する。
図２０は、本実施形態の替芯ケースの蓋体の突起部と本体のガイド溝の突起部の関係を示した模式図である。また、図２０（ａ）は、蓋体３０により開口（替芯取出口）１３ａを閉じた状態（閉状態）を示している。また、図２０（ｂ）は、蓋体３０により開口（替芯取出口）１３ａが小さく開かれた状態（一部開状態）を示している。また、図２０（ｃ）は、蓋体３０により開口（替芯取出口）１３ａが大きく開かれた状態（全開状態）を示している。
また、図２１は、本実施形態の替芯ケースの斜視図であり、図２１（ａ）は、一部開状態の替芯ケースを示し、図２１（ｂ）は、全開状態の替芯ケースを示している。
なお、一部開状態における開口（替芯取出口）１３ａの開口面積をＺ１とし、全開状態における開口（替芯取出口）１３ａの開口面積をＺ２（Ｚ２＜Ｚ１）とする。
【００３５】
以下、蓋体３０を図２０（ａ）に示す閉状態から、図２０（ｂ）の一部開状態にスライドさせ、さらに、図２０（ｃ）の全開状態までスライドさせる場合を例に説明する。
先ず、図２０（ａ）に示す閉状態にあっては、本体１０のガイド溝１２ａ、１２ｂに挿入されている蓋体３０の突起部３２ａ、３２ｃが、ガイド溝１２ａ、１２ｂの突起部１５ａ、１５ｃに当接し、蓋体３０が図２０（ａ）の位置で保たれる（閉状態を維持する）。
このように、蓋体３０の突起部３２ａ、３２ｃ、およびガイド溝１２ａ、１２ｂの突起部１５ａ、１５ｃにより、蓋体３０を閉状態にロックすることができる。これより、例えば、替芯ケース１０を鞄などに入れて持ち運ぶような場合に、振動等で蓋体３０が誤って開くことが防止される。
【００３６】
また、上述した図２０（ａ）に示す状態において、蓋体３０に対してＸ１方向の荷重を加え続けると、本体１０のガイド溝１２ａ、１２ｂの突起部１５ａ、１５ｃに当接している蓋体３０の突起部３２ａ、３２ｃは、突起部１５ａ、１５ｃの上を通過し（乗り越えて）、蓋体３０がＸ１方向にスライドし、その後、図２０（ｂ）に示す位置で止まる。
【００３７】
具体的には、図２０（ａ）の位置から動いた蓋体３０は、図２０（ｂ）に示すように、蓋体３０の突起部３２ａがガイド溝１２ａの突起部１５ｂに当接すると共に、蓋体３０の突起部３２ｂがガイド溝１２ｂの突起部１５ｃに当接することにより停止する。この場合、蓋体３０は、本体１０の開口（替芯取出口）１３ａを小さく開放した状態（一部開状態）に位置決めされる。
このように、蓋体３０の突起部３２ａ、３２ｂ、およびガイド溝１２ａ、１２ｂの突起部１５ｂ、１５ｃにより、本体１０の開口（替芯取出口）１３ａを小さく開放した状態に設定することができる。
【００３８】
また、本実施形態では、図２０（ａ）の位置から蓋体３０が動く際には、蓋体３０の突起部３２ａ、３２ｃは、突起部１５ａ、１５ｃの上を通過する（乗り越える）ため、ユーザにクリック感を与える。この構成により、ユーザに、蓋体３０が閉状態から解除されたことを認識させることができる。
そして、ユーザは、替芯を少量だけ、取り出したいときには、図２０（ｂ）に示す状態で替芯を取り出すようにすればよい。
なお、図２０（ｂ）の状態の替芯ケース１の斜視図を図２１（ａ）に示す。
【００３９】
また、図２０（ｂ）の状態の蓋体３０に対して、Ｘ１方向の荷重を加えると、本体１０のガイド溝１２ａ、１２ｂの突起部１５ｂ、１５ｃに当接している蓋体３０の突起部３２ａ、３２ｂは、突起部１５ｂ、１５ｃの上を通過し（乗り越えて）、蓋体３０がＸ１方向にスライドし、その後、図２０（ｃ）に示す位置で止まる。
【００４０】
具体的には、図２０（ｂ）の位置から動いた蓋体３０は、図２０（ｃ）に示すように、蓋体３０の突起部３２ａがガイド溝１２ａの右端部１２ａ２に当接すると共に、蓋体３０の突起部３２ｃがガイド溝１２ｂの右端部１２ｂ２に当接することで停止する。
なお、図２０には示さないが、図２０（ｃ）に示す状態では、本体１０の背面１０ｂのガイド部１６（図４参照）が、蓋体３０の背面部３０ｂのガイド溝３３の閉端部３３ａに当接している。
そして、この場合、蓋体３０は、本体１０の開口（替芯取出口）１３ａを大きく開いた状態（全開状態）で位置決めされる。そのため、ユーザは、替芯を多量に取り出したいときには、この状態で替芯を取り出すようにすればよい。
なお、図２０（ｃ）の状態の替芯ケース１の斜視図を図２１（ｂ）に示す。
【００４１】
また、本実施形態では、図２０（ｂ）の位置から２０（ｃ）の位置に蓋体３０をスライドさせる際には、蓋体３０の突起部３２ａ、３２ｂは、ガイド溝１２の突起部１５ｂ、１５ｃの上を通過する（乗り越える）ため、ユーザにクリック感を与える。この構成により、ユーザに、蓋体３０が一部閉状態から全開状態に向かっていることを認識させることができる。
【００４２】
また、図２０（ｂ）（或いは図２０（ｃ））の状態から蓋体３０を閉状態にしたい場合、蓋体３０に対してＸ２方向の荷重を加えればいい。この場合、上述した動作と反対方向に蓋体３０がスライドする。
また、蓋体３０に対してＸ２方向の荷重を加え続けた場合、蓋体３０の正面部３０ａの突起部３２ａが本体１０のガイド溝１２ａの左端部１２ａ１に当接すると共に、蓋体３０の背面部３０ｂの突起部３２ｂがガイド溝１２ｂの左端部１２ｂ１に当接することで停止する。
この構成により、蓋体３０が閉状態の位置をオーバすることがない。
なお、上述した通り、本実施形態では、蓋体３０は、本体１０に対して、両面側（正面部３０ａおよび背面部３０ｂ）で位置決めされているため、安定した状態が保たれる。
【００４３】
さらに、本実施形態の替芯ケース１は、図２１（ｂ）に示すように、本体１０の正面１０ａの長さ寸法Ｌ１が、背面１０ｂの高さ寸法Ｌ２よりも長くなされている。また、本体１０の正面１０ａおよび背面１０ｂは、いずれも、収納部１４に収納された替芯Ｓの上端部側が露出する長さ寸法になされている。
これにより、蓋体３０をスライドさせて替芯取出口１３ａを開状態にした際に、収納部１４に収納された替芯Ｓが、正面１０ａに比べて背面１０ｂの方が多く露出するようになる。
【００４４】
この構成により、ユーザは、蓋体３０をスライドさせて替芯取出口１３ａを開状態にした際に、替芯ケース１０を傾けることなく、露出した替芯Ｓを指等でつまむことにより、替芯Ｓを取り出すことができる。
また、本体１０の正面１０ａの高さ寸法Ｌ１を、背面１０ｂの高さ寸法Ｌ２よりも大きくしているのは、人目につきやすい正面１０ａの面積を大きくするためである。これにより、替芯ケース１が店舗等に陳列された際に、替芯ケースの正面１０ａを宣伝用スペースとして有効に活用できる。
【００４５】
以上説明したように、本実施形態の替芯ケース１は、蓋体１０を一方向にスライドさせることにより、開口（替芯取出口）１３ａを２つの異なる広さに段階的に設定できるようになされている。
すなわち、本実施形態によれば、上述した特許文献２のように、取り出したい替芯の量によって、蓋体１０のスライド方向を選定する必要がなく、一方向にスライドさせることで、開口（替芯取出口）１３ａの開口面積を段階的に設定できる。
また、本実施形態の替芯ケース１は、本体１０、蓋体３０、および尾栓５０の３つの部品により構成されているため、部品点数の増加を招くことがない。また、上述した特許文献２の２１０ｂ（図２３参照）のような複雑な形状の部品を設ける必要がない。すなわち、本実施形態によれば、大幅なコストアップを招くことなく、所望する量の替芯を取り出すことができる替芯ケースを実現できる。
【００４６】
なお、本発明は、上記実施形態に限定されるものではなくその要旨の範囲内において種々の変形が可能である。
例えば、上述した実施形態では、蓋体３０の脱落防止用のガイド部１６が本体部１０の背面１０ｂに形成されているが特にこれに限定されるものではない。例えば、本体１０の正面１０ａにガイド部１６を設けるようにしてもよい。この場合、蓋体３０のガイド溝３３は、蓋体３０の正面部３０ａ側に形成される。
また、本実施形態では、本体１０と尾栓５０とが別体で構成されているが、本体１０および尾栓５０が一体成型されていてもよい。
【図面の簡単な説明】
【００４７】
【図１】本発明の実施形態の替芯ケースの斜視図である。
【図２】本発明の実施形態の替芯ケースの本体の側面図である。
【図３】本発明の実施形態の替芯ケースの本体の正面図である。
【図４】本発明の実施形態の本体の替芯ケースの背面図である。
【図５】本発明の実施形態の替芯ケースの本体の底面図である。
【図６】図３に示す本体のＢ−Ｂ断面図である。
【図７】図３に示す本体のＣ−Ｃ断面図である。
【図８】図２に示す本体のＡ−Ａ断面図である。
【図９】本発明の実施形態の替芯ケースの蓋体の上面図である。
【図１０】本発明の実施形態の替芯ケースの蓋体の正面図である。
【図１１】本発明の実施形態の替芯ケースの蓋体の底面図である。
【図１２】本発明の実施形態の替芯ケースの蓋体の側面図である。
【図１３】図１０に示す蓋体のＤ-Ｄ断面図である。
【図１４】図１０に示す蓋体のＥ-Ｅ断面図である。
【図１５】本実施形態の替芯ケースの蓋体のガイド溝と、本体のガイドレールとの関係を示した模式図である。
【図１６】本発明の実施形態の替芯ケースの尾栓５０の正面図である。
【図１７】本発明の実施形態の替芯ケースの尾栓５０の底面図である。
【図１８】図１７の示す尾栓のＦ−Ｆ断面図である。
【図１９】図１７に示す尾栓のＧ−Ｇ断面図である。
【図２０】本実施形態の替芯ケースの蓋体の突起と本体のガイド溝の突起との関係を示した模式図である。
【図２１】本実施形態の替芯ケースの斜視図である。
【図２２】従来から知られているスライド式の蓋体を有するシャープペンシルの替芯ケースの斜視図である。
【図２３】従来から知られているスライド式の蓋体を有するシャープペンシルの替芯ケースの斜視図である。
【符号の説明】
【００４８】
Ｓ…替芯
１…替芯ケース
１０…本体
１０ａ…正面
１０ｂ…背面
１０ｃ、１０ｄ…舌片部
１１ａ…ガイドレール
１１ｂ…ガイドレール
１２ａ…ガイド溝
１２ｂ…ガイド溝
１３ａ…開口（替芯取出口）
１３ｂ…開口
１４…収納部
１５ａ、１５ｂ、１５ｃ…突起部
１６…ガイド部
３０…蓋体
３０ａ…正面部
３０ｂ…背面部
３０ｅ…上面部
３１ａ…ガイド溝
３１ｂ…ガイド溝
３２ａ、３２ｂ、３２ｃ…突起部
３３…ガイド溝
３３ａ…閉端部
４０…滑り止め部
５０…尾栓
５０ａ…台座部５０ａ
５０ｂ…凸部
５０ｂ１…平坦面
【図１】
2010030136.tif 000003
【図２】
2010030136.tif 000004
【図３】
2010030136.tif 000005
【図４】
2010030136.tif 000006
【図５】
2010030136.tif 000007
【図６】
2010030136.tif 000008
【図７】
2010030136.tif 000009
【図８】
2010030136.tif 000010
【図９】
2010030136.tif 000011
【図１０】
2010030136.tif 000012
【図１１】
2010030136.tif 000013
【図１２】
2010030136.tif 000014
【図１３】
2010030136.tif 000015
【図１４】
2010030136.tif 000016
【図１５】
2010030136.tif 000017
【図１６】
2010030136.tif 000018
【図１７】
2010030136.tif 000019
【図１８】
2010030136.tif 000020
【図１９】
2010030136.tif 000021
【図２０】
2010030136.tif 000022
【図２１】
2010030136.tif 000023
【図２２】
2010030136.tif 000024
【図２３】
2010030136.tif 000025